(57)【特許請求の範囲】
【請求項１】
ソーラーパネルを支持して該ソーラーパネルを設置面に固定するソーラーパネル架台であって、
前記ソーラーパネルの周縁と設置面との間に配される周壁部を備え、
前記周壁部の下端と前記設置面の間には、全周にわたって間隙が形成されていて、
前記周壁部の上端から下端までの長さ寸法の半分よりも上方に、複数の貫通孔が形成されているソーラーパネル架台。
【請求項２】
前記ソーラーパネルが矩形状に形成されており、
前記周壁部は、前記ソーラーパネルの前縁に対応する正面部と、前記ソーラーパネルの後縁に対応する背面部と、前記正面部の幅方向の一端部と前記背面部の幅方向の一端部との間に延びる第１の側面部と、前記正面部の幅方向の他端部と前記背面部の幅方向の他端部との間に延びる第２の側面部とを備え、
前記貫通孔が、前記背面部に形成されている請求項１記載のソーラーパネル架台。
【請求項３】
前記周壁部の内側において前記周壁部の下端から斜め上方に向かって延びる下端内側突出部を備え、
前記下端内側突出部は、前記周壁部との間に成す角度が鋭角となるように形成されている請求項１又は請求項２記載のソーラーパネル架台。
【請求項４】
前記角度は３０度から６０度である請求項３記載のソーラーパネル架台。
【請求項５】
前記背面部は、前記ソーラーパネルを取り付けた際に、前記背面部と前記ソーラーパネルとの成す角度が直角となるように構成されている請求項２から請求項４のいずれか１項記載のソーラーパネル架台。
【請求項６】
前記貫通孔は、前記背面部の幅方向に複数個配列され、かつ前記背面部の高さ方向に複数段配列されており、
前記複数段配列された貫通孔が、一段ごとに幅方向にずらされて千鳥配列されている請求項２から請求項５のいずれか１項記載のソーラーパネル架台。
【請求項７】
前記貫通孔の形状は、縦幅よりも横幅の長い角丸長方形である請求項１から請求項６のいずれか１項記載のソーラーパネル架台。
【請求項８】
前記ソーラーパネルを前記周壁部の上端に固定するソーラーパネル固定部を備え、
前記ソーラーパネル固定部は、
前記周壁部の上端の少なくとも一部に沿って配置される長尺状部材であり、板状に形成された内側板状部と、該内側板状部と対向して板状に形成された外側板状部と、前記内側板状部の上端から前記外側板状部の上端にわたって板状に形成された上面板状部とを備え、
前記内側板状部の先端が前記ソーラーパネルの表面側から前記設置面に向かって前記ソーラーパネルを抑えた状態で、前記外側板状部が前記周壁部に取り付けられる請求項１から請求項７のいずれか１項記載のソーラーパネル架台。
【請求項９】
前記ソーラーパネル固定部は、前記外側板状部の内側面に設けられた補強部材を備え、前記補強部材は、前記外側板状部の内側面から、前記内側板状部の方に向かって突出していて、前記内側板状部と前記補強部材の間に所定の空間が形成されている請求項８に記載のソーラーパネル架台。
【請求項１０】
前記周壁部の下端に取り付けられ、前記周壁部を設置面に固定する架台固定部を備え、
前記架台固定部は、前記周壁部の下端と前記設置面との間に露出する固定部外側面を備える請求項１から請求項９のいずれか１項記載のソーラーパネル架台。
【請求項１１】
前記架台固定部は、
前記周壁部に取り付けられる板状の周壁部取り付け部と、
前記周壁部取り付け部と一体的に形成され、前記設置面に取り付けられる板状の設置面取り付け部を備える請求項１０記載のソーラーパネル架台。
【請求項１２】
前記正面部と、前記背面部と、前記第１の側面部と、前記第２の側面部は、それぞれ、板状に形成されていて、前記正面部の幅方向の一端部と前記背面部の幅方向の一端部とが前記第１の側面部に連結され、前記正面部の幅方向の他端部と前記背面部の幅方向の他端部とが前記第２の側面部に連結されることによって、前記周壁部が形成される請求項２から請求項１１のいずれか１項記載のソーラーパネル架台。
【発明の詳細な説明】
【技術分野】
【０００１】
本発明は、ソーラーパネルを所定の設置場所に設置するためのソーラーパネル架台に関する。
【背景技術】
【０００２】
従来、ソーラーパネルを所定の設置場所に設置するために、ソーラーパネルを支持すると共に、設置場所に固定するソーラーパネル架台が知られている（例えば、特許文献１）。ソーラーパネル架台は、一般的に、ソーラーパネル（「太陽電池パネル」又は「太陽電池モジュール」ともいう。）を取り付けるソーラーパネル取付部を上方に配し、設置面に固定される設置面固定部を下方に配するように構成されている。また、ソーラーパネルの少なくとも一端を設置面から所定の高さに保持するために、ソーラーパネルと設置面の間に、柱となる複数の棒状部材を設置する構造が知られている。
【先行技術文献】
【特許文献】
【０００３】
【特許文献１】特開２０１２−２５６６６１号公報
【発明の概要】
【発明が解決しようとする課題】
【０００４】
しかしながら、前述のように、ソーラーパネルと設置面の間に柱となる複数の棒状部材を設けた架台を採用した場合、隣合う棒状部材の間は開放されていることになる。したがって、この開放部分から強風等がソーラーパネルと設置面の間に吹き込むと、ソーラーパネルが吹き飛んでしまうおそれがある。特に、台風、サイクロン及びハリケーンによる被害を受ける可能性が高い地域では、非常に強い力の風が吹き込むことがあるため、問題である。
【０００５】
そこで、このような強風の吹込みを抑止するために、例えば、ソーラーパネルと設置面の間に周壁部を設ける構造が考えられる。しかしながら、この場合、ソーラーパネルと設置面の間の空気が外部に流出できなくなるため、ソーラーパネルと設置面の間の空気が熱せられて高温となり、ソーラーパネルや配線に悪影響を与える可能性が考えられる。
【０００６】
よって、本発明は、強風等によってソーラーパネルが吹き飛ぶことを抑止すると共に、放熱効果を向上させることを目的とする。
【課題を解決するための手段】
【０００７】
上記目的を達成するために、本発明に係るソーラーパネル架台は、ソーラーパネルを支持して該ソーラーパネルを設置面に固定するソーラーパネル架台であって、前記ソーラーパネルの周縁と設置面との間に配される周壁部を備え、前記周壁部の下端と前記設置面の間には、全周にわたって間隙が形成されていて、前記周壁部の上端から下端までの長さ寸法の半分よりも上方に、複数の貫通孔が形成されている。
【０００８】
上記構成によれば、ソーラーパネルの周縁と設置面との間に配される周壁部が設けられているため、強風等によってソーラーパネルが吹き飛ぶことを抑止することができる。また、周壁部の下端と設置面の間には、全周にわたって間隙が形成されていて、周壁部の上端から下端までの長さ寸法の半分よりも上方に、複数の貫通孔が形成されているため、ソーラーパネルと設置面の間の空間において、空気の効果的な対流を促すことができる。
【０００９】
したがって、本発明によれば、強風等によってソーラーパネルが吹き飛ぶことを抑止できると共に、放熱効果を向上させることができる。
【００１０】
また、例えば、前記ソーラーパネルが矩形状に形成されており、前記周壁部は、前記ソーラーパネルの前縁に対応する正面部と、前記ソーラーパネルの後縁に対応する背面部と、前記正面部の幅方向の一端部と前記背面部の幅方向の一端部との間に延びる第１の側面部と、前記正面部の幅方向の他端部と前記背面部の幅方向の他端部との間に延びる第２の側面部とを備え、前記貫通孔が、前記背面部に形成されていてもよい。
これにより、簡易に周壁部を構成することができると共に、効果的に放熱することができる。
【００１１】
例えば、前記周壁部の内側において前記周壁部の下端から斜め上方に向かって延びる下端内側突出部を備え、前記下端内側突出部は、前記周壁部との間に成す角度が鋭角となるように形成されていてもよい。
これにより、上記間隙からの空気の流入が円滑になると共に、間隙から流入する空気がより効果的に対流するため、放熱効率を高めることができる。
【００１２】
一例として、前記下端内側突出部が前記周壁部との間に成す角度を３０度から６０度に設定してもよい。
これにより、下端内側突出部の形成に際する加工を容易にすると共に、設置面に対して周壁部が傾斜して設けられる場合であっても、上記間隙からの空気の流路が下端内側突出部によって阻まれるリスクを低減させることができる。
【００１３】
例えば、前記背面部は、前記ソーラーパネルを取り付けた際に、該背面部と前記ソーラーパネルの成す角度が直角となるように構成してもよい。
これにより、背面部とソーラーパネルの間に形成される空間が広くなるため、背面部に形成された貫通孔からの空気の排出が促進され、より高い放熱効果を達成することができる。
【００１４】
一例として、前記背面部の幅方向に複数個配列され、かつ前記背面部の高さ方向に複数段配列されており、前記複数段配列された貫通孔が、一段ごとに幅方向にずらされて千鳥配列されている。
これにより、背面部の強度を保持しながら、一定の領域に貫通孔の開口面積を効率良く確保することができる。
【００１５】
また、例えば、前記貫通孔の形状は、縦幅よりも横幅の長い角丸長方形であってもよい。
これにより、背面部の強度を保持しながら、空気の排出をより効率的に行うことができる。
【００１６】
一例として、前記ソーラーパネルを前記周壁部の上端に固定するソーラーパネル固定部を備え、前記ソーラーパネル固定部は、前記周壁部の上端の少なくとも一部に沿って配置される長尺状部材であり、板状に形成された内側板状部と、該内側板状部と対向して板状に形成された外側板状部と、前記内側板状部の上端から前記外側板状部の上端にわたって板状に形成された上面板状部とを備え、前記内側板状部の先端が前記ソーラーパネルの表面側から前記設置面に向かって前記ソーラーパネルを抑えた状態で、前記外側板状部が前記周壁部に取り付けられるように構成してもよい。
【００１７】
これにより、ソーラーパネルが吹き飛ぶリスクをより効果的に抑止することができると共に、ソーラーパネルを押し上げる力によってソーラーパネルがソーラーパネル固定部から受ける荷重が、等分布荷重となるため、ソーラーパネルの破損リスクを低減することができる。
【００１８】
例えば、前記ソーラーパネル固定部は、前記外側板状部の内側面に設けられた補強部材を備え、前記補強部材は、前記外側板状部の内側面から、前記内側板状部の方に向かって突出していて、前記内側板状部と前記補強部材の間に所定の空間が形成されていてもよい。
これにより、ソーラーパネル固定部の強度を高めることができると共に、上記所定の空間の幅を調整することによって、ソーラーパネルに対する内側板状部の先端の位置を容易に調整することができる。
【００１９】
一例として、前記周壁部の下端に取り付けられ、前記周壁部を設置面に固定する架台固定部を備え、前記架台固定部は、前記周壁部の下端と前記設置面との間に露出する固定部外側面を備えるように構成してもよい。
これにより、ソーラーパネル架台の設置面への固定が容易になると共に、固定部外側面の高さ寸法を調整することによって、周壁部下端の間隙の幅を調整することできる。
【００２０】
また、例えば、前記架台固定部は、前記周壁部に取り付けられる板状の周壁部取り付け部と、前記周壁部取り付け部と一体的に形成され、前記設置面に取り付けられる板状の設置面取り付け部を備えていてもよい。
これにより、架台固定部を板状部材で形成することができるため、架台固定部の製造が容易になると共に、ソーラーパネル架台を設置場所において組み付ける際に、組み付け作業を簡易に行うことができる。
【００２１】
一例として、前記正面部と、前記背面部と、前記第１の側面部と、前記第２の側面部は、それぞれ、板状に形成されていて、前記正面部の幅方向の一端部と前記背面部の幅方向の一端部とが前記第１の側面部に連結され、前記正面部の幅方向の他端部と前記背面部の幅方向の他端部とが前記第２の側面部に連結されることによって、前記周壁部が形成されていてもよい。
これにより、周壁部を軽量且つ簡易に形成することができる。したがって、ソーラーパネル架台を設置場所において組み付ける際に、組み付け作業を容易に行うことができる。
【発明の効果】
【００２２】
本発明によれば、強風等によってソーラーパネルが吹き飛ぶことを抑止できると共に、放熱効果を向上させることができる。
【図面の簡単な説明】
【００２３】
【図１】第１の実施形態に係るソーラーパネル架台の斜視図である。
【図２】第１の実施形態に係るソーラーパネル架台にソーラーパネルを取り付けた状態を示す斜視図である。
【図３】（ａ）第１の実施形態に係る第１の側面部の下端を内側からみた斜視図である。（ｂ）第１の実施形態に係る第１の側面部の下端を外側からみた側面図である。
【図４】第１の実施形態に係るソーラーパネル架台の下端を底面側からみた説明図である。
【図５】第１の実施形態に係る背面部を背面側からみた説明図である。
【図６】（ａ）第１の実施形態に係るソーラーパネル固定部を外側からみた斜視図である。（ｂ）第１の実施形態に係るソーラーパネル固定部を内側からみた斜視図である。
【図７】（ａ）第１の実施形態に係る補強部材を内側からみた説明図である。（ｂ）Ａ−Ａ´線断面図である。
【図８】図２に示すＢ−Ｂ´線端面図である。
【図９】図８に示すＣ−Ｃ´線部分拡大図である。
【図１０】（ａ）第１の実施形態に係るソーラーパネル架台の内部空間における空気の対流を示す説明図である。（ｂ）（ａ）図に対する比較図である。
【図１１】第２の実施形態に係るソーラーパネル架台にソーラーパネルを取り付けた状態を示す斜視図である。
【図１２】第２の実施形態に係るソーラーパネル固定部の端面図である。
【発明を実施するための形態】
【００２４】
以下、本発明の実施の形態を添付の図により説明する。なお、「上」、「下」、「左」、「右」、「表」、「裏」、「外」、「内」、「横」、「縦」、「正面」、「背面」等の方向を示す語は、図面の状態に基づく便宜上のものであり、実際の方向はこれに限定されるものではない。
【００２５】
［第１の実施形態］
図１に第１の実施形態に係るソーラーパネル架台１の斜視図を示す。図２に図１に示すソーラーパネル架台１にソーラーパネル２を取り付けた状態の斜視図を示す。図２に示すように、ソーラーパネル架台１は、ソーラーパネル２を支持して、ソーラーパネル２を屋根等の設置場所における設置面３に取り付けるものである。図１に示すように、ソーラーパネル架台１は、ソーラーパネル２の周縁２ａ，２ｂ，２ｃ，２ｄ（図２）と、設置面３の間に配される周壁部５を備えている。
【００２６】
ソーラーパネル架台１は、矩形状のソーラーパネル２を支持するように構成されている。周壁部５は、ソーラーパネル２の前縁２ａに対応する正面部６と、ソーラーパネル２の後縁２ｂに対応する背面部７と、正面部６の幅方向Ｗの一端部６ａと背面部７の幅方向Ｗの一端部７ａの間に延びる第１の側面部８と、正面部６の幅方向Ｗの他端部６ｂと背面部７の幅方向Ｗの他端部７ｂの間に延びる第２の側面部９とを備えている。
【００２７】
本実施形態において、正面部６と、背面部７と、第１の側面部８と、第２の側面部９は、それぞれ、板状に形成されている。例えば、正面部６と、背面部７と、第１の側面部８と、第２の側面部９は、厚さ２ｍｍのステンレスプレートから形成されたステンレスパネルである。
【００２８】
正面部６の一端部６ａと背面部７の一端部７ａが第１の側面部８に正面側連結部１４ａ及び背面側連結部１４ｂを介して連結されている。正面側連結部１４ａは、第１の側面部８の前方の端部７ａから正面部６に延びる板状部材であり、第１の側面部８と一体的に形成されている。正面側連結部１４ａは、正面部６の内側面１７に重ねられて、ボルト等の締結部材１５によって、正面部６に固定されている。同様に、背面側連結部１４ｂは、第１の側面部８の後方の端部８ｂから背面部７に延びる板状部材であり、第１の側面部８と一体的に形成されている。背面側連結部１４ｂは、背面部７の内側面１８に重ねられて、ボルト等の締結部材１５によって、背面部７に固定されている。
【００２９】
また、正面部６の他端部６ｂと背面部７の他端部７ｂが第２の側面部９に連結されている。この連結構成は、前述した第１の側面部８の連結構成と同様である。すなわち、第２の側面部９の前方の端部９ａ及び後方の端部９ｂにおいて第２の側面部９と一体的に形成された正面側連結部１４ａ及び背面側連結部１４ｂを介して、第２の側面部９と正面部６及び背面部７とが連結されている。互いに連結された正面部６と、背面部７と、第１の側面部８と、第２の側面部９によって、ソーラーパネル架台１の内部空間Ｓ１が画定されている。
【００３０】
周壁部５の下端１１と設置面３の間には、全周にわたって間隙１２が形成されている。この間隙１２は、内部空間Ｓ１に外部から空気を流入させるために設けられている。また、複数の架台固定部２０が、下端１１に取り付けられている。架台固定部２０は、周壁部５を設置面３に固定するものである。
【００３１】
図３に示すように、周壁部５の内側において下端１１から斜め上方に延びる下端内側突出部２２が設けられている。下端内側突出部２２は、周壁部５と一体的に形成された板状部材である。下端内側突出部２２は、板状に形成された周壁部５の下端１１を内側に折り曲げることによって形成されている。すなわち、正面部６と、背面部７と、第１の側面部８と、第２の側面部９のそれぞれにおいて、その下端１１が周壁部５の内側に折り曲げられている。
【００３２】
下端内側突出部２２は、周壁部５の内側において周壁部５との間に成す角度２４が鋭角となるように、形成されている。本実施形態では、この角度２４を３０度から６０度に設定している。また、下端内側突出部２２には、架台固定部２０を取り付けるための切り欠き部２５が形成されている。
【００３３】
架台固定部２０は、周壁部５の内側面５ａ（図３（ａ）においては第１の側面部８の内側面２９）に取り付けられる周壁部取り付け部２７と、設置面３に取り付けられる設置面取り付け部２８を備えている。周壁部取り付け部２７と設置面取り付け部２８は、一体的に形成された板状部材であり、互いに直角に交わるように形成されている。すなわち、一枚の板状部材を直角に曲げ、設置面３に沿って配される方を設置面取り付け部２８とし、周壁部５に沿って配される方を周壁部取り付け部２７として形成している。一例として、架台固定部２０は、厚さ５ｍｍ〜７ｍｍのステンレスプレートから形成されたアンカープレートである。
【００３４】
周壁部取り付け部２７は、下端内側突出部２２の切り欠き部２５に挿入され、周壁部５の内側面５ａにスポット溶接によって取り付けられている。また、図３（ｂ）に示すように、周壁部取り付け部２７は、周壁部５の下端１１と設置面３の間に露出する固定部外側面３１を備えている。したがって、この固定部外側面３１の高さ寸法ｈが、下端１１と設置面３の間に形成される間隙１２の高さ寸法ｇとなる。本実施形態では、この間隙１２の高さ寸法ｇを、５ｍｍ〜７ｍｍに設定している。
【００３５】
設置面取り付け部２８には、架台固定部２０を設置面３に取り付けるための貫通孔３２が形成されている。設置面取り付け部２８は、貫通孔３２に挿入されたボルト等の締結部材１５によって設置面３に固定される。
【００３６】
図４に示すように、周壁部５の下端１１を底面側からみると、矩形状になっている。実施形態においては、下端１１において８個の架台固定部２０が設けられている。ここでは、同一形状及び同一サイズの架台固定部２０を、正面部６と、背面部７と、第１の側面部８と、第２の側面部９のそれぞれにおいて、それらの下端１１に各２個の架台固定部２０が配されている。本実施形態では、正面部６の下端６ｄにおける幅方向Ｗの長さ寸法と、背面部７の下端７ｄにおける幅方向Ｗの長さ寸法は同一であり、第１の側面部８の下端８ｄにおける奥行方向Ｄの長さ寸法と、第２の側面部９の下端９ｄにおける奥行方向Ｄの長さ寸法は同一である。したがって、第１の側面部８の下端８ｄと第２の側面部９の下端９ｄの上記各長さ寸法をＬ１とし，正面部６の下端６ｄと背面部７の下端７ｄの上記各長さ寸法をＬ２とし、第１の側面部８及び第２の側面部９に取り付けられた架台固定部２０の奥行方向Ｄの長さ寸法と、正面部６及び背面部７に取り付けられた架台固定部２０の幅方向Ｗの長さ寸法とをＬ２０とすると、周壁部５の全周に亘る間隙１２の長さは、以下の［式１］で示される。
［式１］
周壁部５の全周に亘る間隙１２の長さ＝（周壁部５の下縁長さ寸法の合計：Ｌ１×２＋Ｌ２×２）−（周壁部５の下縁長さ寸法に占める架台固定部２０の長さ寸法の合計：Ｌ２０×８）
【００３７】
また、内部空間Ｓ１（図１）に効果的な量の空気を流入させるために、間隙１２の最低開口面積及び最高開口面積は、以下の関係式［式２］で示す範囲に設定することが望ましい。以下の［式２］において、ソーラーパネル２の奥行方向Ｄの長さ寸法（すなわち、第１の側縁２ｃの長さ寸法又は第２の側縁２ｄの長さ寸法）をＬ３（図２）とし、ソーラーパネル２のｈ幅方向Ｗの長さ寸法（すなわち、前縁２ａの長さ寸法又は後縁２ｂの長さ寸法）をＬ４としている。なお、ソーラーパネル２の第１の側縁２ｃの長さと第２の側縁２ｄの長さは同一であり、前縁２ａの長さと後縁２ｂの長さは同一である。
［式２］
１．４（Ｌ３＋Ｌ４）ｃｍ２≧間隙１２の開口面積（ｃｍ２）≧（Ｌ３＋Ｌ４）ｃｍ２
【００３８】
次に、ソーラーパネル架台１の背面部７について図５を参照しながら説明する。なお、図５に示す背面部７は、ソーラーパネル架台１として組み付ける前のものである。背面部７には、背面部７の上端７ｃから下端７ｄまでの長さ寸法Ｈ１の半分（Ｈ１／２）よりも上方に、複数の貫通孔３８が形成されている。
【００３９】
貫通孔３８は、背面部７の幅方向Ｗに複数個配列されている。また、貫通孔３８は、背面部７の長さ寸法Ｈ１の上半分の領域３７において、背面部７の高さ方向に複数段配列されており、一段ごとに幅方向Ｗにずらされて千鳥配列されている。貫通孔３８は、背面部７の高さ方向に３列又は４列の配列とすることが望ましい。図５に示す例では、高さ方向に４列の配列を採用している。また、第１の実施形態では、各貫通孔３８の形状は、縦幅よりも横幅の長い角丸長方形である。なお、鼠、爬虫類、鳥類等が貫通孔３８から内部空間Ｓ１に入り込むことを防止するために、貫通孔３８の縦幅は、１２ｍｍ以下であることが望ましい。
この複数の貫通孔３８は、周壁部５に囲まれたソーラーパネル架台１の内部空間Ｓ１の空気を外部に排出させるために設けられている。
【００４０】
この複数の貫通孔３８の合計開口面積は、前述した間隙１２の開口面積以上であることが望ましい。また、複数の貫通孔３８の合計開口面積を大きくし過ぎると、間隙１２から流入した空気が内部空間Ｓ１において効果的に対流せずに、すぐに貫通孔３８から排出されてしまう可能性がある。そこで、このようなショートサーキットが生じることを避けるために、複数の貫通孔３８の合計開口面積は、間隙１２の開口面積の１．４倍以下とすることが望ましい。
【００４１】
背面部７には、背面部７の上端７ｃに沿って、後述のソーラーパネル固定部５０（図１）を取り付けるための複数の孔４１が形成されている。また、背面部７の一端部７ａ及び他端部７ｂには、それぞれ、第１の側面部８及び第２の側面部９を取り付けるための複数の孔４２が形成されている。
【００４２】
図１に示すように、正面部６にも、背面部７と同様に、上端６ｃに沿って、後述のソーラーパネル固定部５０を取り付けるための複数の孔４６が形成されている。また、正面部６の一端部６ａ及び他端部６ｂには、それぞれ、第１の側面部８及び第２の側面部９を取り付けるための複数の孔４７が形成されている。
第１の側面部８及び第２の側面部９の下端１１付近には、それぞれ、配線等を引き出すための配線引き出し用貫通孔４８が形成されている。
【００４３】
次に、ソーラーパネル固定部５０について、説明する。第１の実施形態において、ソーラーパネル架台１は、図１に示すように、２個の長尺状部材からなるソーラーパネル固定部５０を備えている。ソーラーパネル固定部５０は、周壁部５の上端の少なくとも一部に沿って配置されるものである。ここでは、一方のソーラーパネル固定部５０ａは、ソーラーパネル２の前縁２ａに沿って、他方のソーラーパネル固定部５０ｂは、ソーラーパネル２の後縁２ｂに沿って、それぞれ配されるように構成されている。本実施形態では、ソーラーパネル固定部５０ｂの長手方向の長さ寸法Ｌ５が、ソーラーパネル２の後縁２ｂの長さ寸法Ｌ４の８８％を占めるように構成されている。ソーラーパネル固定部５０ａの長手方向の長さ寸法が、ソーラーパネル前縁２ａの幅方向Ｗの長さ寸法に占める割合も同様である。なお、本実施形態において、ソーラーパネル固定部５０ａとソーラーパネル固定部５０ｂは、同一形状及び同一寸法である。
【００４４】
ソーラーパネル固定部５０は、図６に示すように、板状に形成された内側板状部５２と、該内側板状部５２と対向して板状に形成された外側板状部５３と、内側板状部５２の上端５２ｂから外側板状部５３の上端５３ｂにわたって板状に形成された上面板状部５４とを備えている。
【００４５】
内側板状部５２と上面板状部５４のなす角度と、外側板状部５３と上面板状部５４のなす角度は直角である。内側板状部５２と、上面板状部５４と、外側板状部５３の長手方向の長さ寸法Ｌ５（図１）は同一である。内側板状部５２の短手方向の長さ、すなわち、高さ寸法Ｌ６（図６（ａ））は、外側板状部５３の高さ寸法Ｌ７よりも短い。よって、内側板状部５２の先端５２ａと外側板状部５３の先端５３ａが設置面３と対向するように配すると、設置面３からの距離は、内側板状部５２の先端５２ａの方が外側板状部５３の先端５３ａよりも長くなる。
【００４６】
一例として、内側板状部５２の高さ寸法Ｌ６は９ｍｍであり、外側板状部５３の高さ寸法Ｌ７は３５ｍｍである。また、第１の実施形態では、上面板状部５４の短手方向の長さ寸法Ｌ８を１４ｍｍに設定している。図６（ｂ）に示すように、外側板状部５３の内側面５３ｃには、補強部材５６が設けられている。
【００４７】
図６（ｂ）及び図７（ａ）に示すように、補強部材５６は、外側板状部５３の内側面５３ｃから、内側板状部５２の方に突出する突出部５７と、補強部材取り付け部５９とを備えている。補強部材取り付け部５９は、突出部５７の両脇において内側面５３ｃに沿って延びていて、スポット溶接によって内側面５３ｃに接合されている。突出部５７と補強部材取り付け部５９は、板状部材によって形成されている。突出部５７には、ソーラーパネル固定部５０を周壁部５に取り付けるための孔５８ａが形成されている。外側板状部５３にも孔５８ａに対応する位置に孔５８ｂ（図１）が形成されていて孔５８ｂから孔５８ａにボルト等の締結部材１５を挿入することができるように構成されている。
【００４８】
図７（ｂ）に示すように、突出部５７は、内側板状部５２及び外側板状部５３に対して平行に延びる突出面５７ａを有し、突出面５７ａと内側板状部５２との間には所定空間Ｓ２が保持されている。上記所定の空間Ｓ２の幅寸法ＬＳ２は、内側板状部５２から突出面５７ａまでの寸法である。なお、突出面５７ａのうち、内側板状部５２の先端５２ａより下方に延びる部分については、内側板状部５２の先端５２ａを下方に延長させた仮想延長面を想定し、突出面５７ａから突出面５７ａと対向する仮想延長面までの寸法が所定の空間Ｓ２の幅寸法ＬＳ２となる。空間Ｓ２の幅寸法ＬＳ２を調整することによって、ソーラーパネル２に対する内側板状部５２の先端５２ａの位置を容易に調整することができる。
【００４９】
一例として、ソーラーパネル固定部５０は、厚さ２ｍｍのステンレスプレートから形成されている。本実施形態では、所定の寸法に切り出したステンレスプレートをコの字型に折り曲げ加工することによって、内側板状部５２と、上面板状部５４と、外側板状部５３を形成している。
また、本実施形態では、厚さ２ｍｍのステンレスプレートをハット曲げ加工することによって、補強部材５６を形成している。このように、板状部材を折り曲げ加工することによって突出部５７を形成しているため、突出面５７ａの裏面と外側板状部５３の間には所定の空間Ｓ３が画定されている。
【００５０】
一例として、外側板状部５３から突出面５７ａまでの長さは６ｍｍであり、突出面５７ａの横幅寸法は２０〜３０ｍｍである。また、本実施形態では、図１に示すように、それぞれのソーラーパネル固定部５０ａ，５０ｂに、５個の補強部材５６を等間隔に取り付けている。ソーラーパネル固定部５０が約２ｍの場合、隣り合う補強部部材の間の距離は、約５０ｃｍである。
【００５１】
次に、ソーラーパネル固定部５０の取り付け構造について説明する。図８示すように、ソーラーパネル２のソーラーパネル架台１への取り付けに際して、ソーラーパネル２は、正面部６の上端６ｃに設けられた前方パネル載置部４３と、背面部７の上端７ｃに設けられた後方パネル載置部４４に載置される。前方パネル載置部４３は、正面部６の上端７ｃを内側に折り曲げ加工することによって形成されている。同様に、後方パネル載置部４４は、背面部７の上端７ｃを内側に折り曲げ加工することによって形成されている。
【００５２】
図８に示すように、ソーラーパネル２は、発電機能を有する発電部６４と、発電部６４を支持する枠体部６５とを備えている。図９に示すように、枠体部６５の下端６５ａには、ソーラーパネル固定部５０ｂと係合する係合部６６が設けられている。係合部６６は、枠体部６５の下端６５ａから後方パネル載置部４４に沿って外側に延び、その先端６７は上方に向かって折り曲げられている。この係合部６６は、ソーラーパネル２の後縁２ｂに沿って、ソーラーパネル２の後縁２ｂの一端部２ｅ（図２）から他端部２ｆにわたって形成されている。
【００５３】
ソーラーパネル固定部５０ｂは、ソーラーパネル２をソーラーパネル架台１に載置した後に、ソーラーパネル２とソーラーパネル架台１に取り付けられる。ソーラーパネル固定部５０ｂは、内側板状部５２がソーラーパネル２の係合部６６と係合するように、ソーラーパネル２の表面側から嵌め込まれる。ここで、係合部６６の先端６７は、内側板状部５２の内側に配される。そして、ソーラーパネル固定部５０ｂは、突出面５７ａと背面部７が接触するまで背面部７に押し付けられて、ソーラーパネル固定部５０ｂの孔５８ａ，５８ｂ及び背面部７の孔４１に挿入されたボルト等の締結部材１５を介して、外側板状部５３が背面部７に取り付けられる。
【００５４】
ソーラーパネル固定部５０ｂの孔５８ａ，５８ｂ及び背面部７の孔４１の位置は、外側板状部５３を背面部７に取り付けたときに、内側板状部５２の先端５２ａがソーラーパネル２の係合部６６と係合する位置にくるように、予め設定されている。
【００５５】
図９に示すように、内側板状部５２がソーラーパネル２の係合部６６と係合することによって、ソーラーパネル２の係合部６６は後方パネル載置部４４と内側板状部５２の先端５２ａの間に挟み込まれることになる。このように、内側板状部５２の先端５２ａは、ソーラーパネル２の表面側から設置面３に向かってソーラーパネル２を抑えるように構成されている。
正面部６及びソーラーパネル２の前縁２ａにおいても、前述した方法と同様の方法によって、ソーラーパネル固定部５０ａが取り付けられる。
【００５６】
次に、背面部７等の設置面３に対する傾斜について説明する。図８に示すように、正面部６と背面部７は設置面３に対して傾斜して設置されている。本実施形態において、ソーラーパネル２に対する正面部６の角度７１と、ソーラーパネル２に対する背面部７の角度７２は、それぞれ直角になるように構成されている。また、設置面３に対して、ソーラーパネル２に所望の傾きを保持させるために、正面部６における上端６ｃから下端６ｄまでの長さ寸法Ｈ２は、背面部７における上端７ｃから下端７ｄまでの長さ寸法Ｈ１よりも短く形成されている。したがって、図８に示すように、ソーラーパネル架台１の内側において、設置面３に対する正面部６の角度７３は鈍角になり、設置面３に対する背面部７の角度７４は鋭角になっている。すなわち、本実施形態では、背面部７とソーラーパネル２の成す角度が直角となるように、背面部７は、ソーラーパネル２の傾斜に応じて設置面３に対して傾斜して設置されている。
【００５７】
次に、ソーラーパネル架台１の作用について説明する。
ソーラーパネル架台１は、架台固定部２０を介して設置面３に固定される。次いで、ソーラーパネル２は、固定されたソーラーパネル架台１の上端に載置されることにより、所望の設置場所に取り付けられる。これにより、ソーラーパネル２は設置面３に取り外し可能に固定される。ソーラーパネル架台１では、前述のように、ソーラーパネル２の周縁２ａ，２ｂ，２ｃ，２ｄと設置面３の間に周壁部５が設けられているため、周壁部５によって、ソーラーパネル架台１の内部空間Ｓ１に吹き込む強風等が遮断される。これにより、ソーラーパネル架台１を押し上げる力が抑止される。
【００５８】
図１０（ａ）に、ソーラーパネル架台１の内部空間Ｓ１における空気の対流を模式的に示す。図１０（ａ）において、複数の貫通孔３８から排出される空気を排出気流７５として実線の矢印で示し、間隙１２から流入する空気を流入気流７６として点線の矢印で示している。
【００５９】
ソーラーパネル２が設置されると、太陽光によって内部空間Ｓ１の温度が上昇していく。ソーラーパネル架台１の内部空間Ｓ１において高温の空気は上方に溜まっていく。複数の貫通孔３８は、背面部７の長さ寸法Ｈ１の半分よりも上方に設けられているため、高温の空気は複数の貫通孔３８から外部に排出される。貫通孔３８から排気されると、内部空間Ｓ１が負圧傾向になる。そうすると、間隙１２からの外気誘引が促進される。
また、上方に排気のための貫通孔３８を配し、下端１１と設置面３の間に給気のための間隙１２を配しているため、煙突効果によって放熱効率が向上する。
【００６０】
ここで、内部空間Ｓ１内における空気の流れについて説明する。図１０（ａ）に示すように、流入気流７６は、内部空間Ｓ１内において上昇し、上昇した気流の一部は、回り込むようにして背面部７に沿って下降する。ここで、下端内側突出部２２が周壁部５との間に成す角度２４は鋭角であるため、下端内側突出部２２は、背面部７の下端１１から内部空間Ｓ１の斜め上方に向かって延びている。したがって、この下降してくる流入気流７６ａは、下端内側突出部２２によって、間隙１２への到達が妨げられて内部空間Ｓ１の上方へ導かれる。そのため、流入気流７６ｂの間隙１２からの空気の流入が妨げられない。このように、ソーラーパネル架台１では、上記間隙１２からの空気の流入が円滑になる。また、間隙１２からの流入気流７６ｂは、下端内側突出部２２に沿って、内部空間Ｓ１の斜め上方に向かって誘導されるため、流入した空気が貫通孔３８からすぐに流出してしまうショートサーキットが発生しにくい。
【００６１】
また、下端内側突出部２２を設けることによって、間隙１２から内部空間Ｓ１に導かれた流入気流７６ｂの流路の幅が徐々に広くなっていく。よって、内部空間Ｓ１において流入気流７６の流速が低減し、強風等が吹き込んだ場合でも、間隙１２からの空気の流入量が抑制される。そのため、風圧によってソーラーパネル２が吹き飛ぶリスクがさらに低減する。
【００６２】
また、周壁部５の下端１１の全周にわたって間隙１２を形成しているため、流入する空気の流動抵抗の増大に起因した上昇気流の流速減少が抑止される。よって、内部空間Ｓ１に効果的な対流が発生し、貫通孔３８からの排気が円滑になる。
【００６３】
上記のように、ソーラーパネル架台１には、周壁部５が設けられているため、ソーラーパネル架台１の内部空間Ｓ１に吹き込む強風等が遮断され、ソーラーパネル架台１を押し上げる力が抑止される。
また、周壁部５の下端１１と設置面３の間に、全周にわたって間隙１２が形成されていて、背面部７の上端７ｃから下端７ｄまでの長さ寸法Ｈ１の半分よりも上方に複数の貫通孔３８が形成されている。したがって、前述のように、間隙１２から空気が流入し、貫通孔３８から暖気が排出される。
このように、ソーラーパネル架台１によれば、強風等によってソーラーパネルが吹き飛ぶことを抑止できると共に、放熱効果を向上させることができる。また、間隙１２によって、ソーラーパネル架台１の内部空間Ｓ１に侵入した雨水を排水することもできる。
【００６４】
さらに、ソーラーパネル架台１は、周壁部５との間に成す角度２４が鋭角となるように形成された下端内側突出部２２を備えている。したがって、前述のように、上記間隙１２からの空気の流入が円滑になると共に、間隙１２から流入する空気がより効果的に対流するため、放熱効率を高めることができる。また、下端内側突出部２２を設けることによって、周壁部５の強度を高めることもできる。
【００６５】
なお、第１の実施形態では、下端内側突出部２２が周壁部５との間に成す角度２４を３０度から６０度に設定している。これに対して、角度２４を直角に近い鋭角とした場合、周壁部５を設置面３に対して傾斜させて設置すると、下端内側突出部２２の先端が下向きになり、間隙１２からの空気の流路が下端内側突出部２２によって阻まれてしまうリスクが考えられる。そこで、本実施形態のように、上記角度を６０度以下に設定しておくと、直角に近い鋭角の場合と比較して、上記リスクを低減させることができる。また、下端内側突出部２２をステンレスプレートの折り曲げ加工によって形成する場合、上記角度を３０度以上とすることで、加工を容易に行うことができる。
【００６６】
本実施形態において、背面部７とソーラーパネル２の成す角度が直角となるように、背面部７は、ソーラーパネル２の傾斜に応じて設置面３に対して傾斜して設置されている。本実施形態を示す図１０（ａ）と比較するために、図１０（ｂ）に、背面部７を設置面３に対して垂直に設置し、背面部７とソーラーパネル２の成す角度７２ｂを鋭角とした状態を示す。図１０（ａ）に示す例では、背面部７とソーラーパネル２の成す角度７２ａが直角であるため、貫通孔３８付近において、内部空間Ｓ１が広い。これに対して、図１０（ｂ）に示す例では、背面部７とソーラーパネル２の成す角度７２ｂが鋭角であるため、貫通孔３８付近において、内部空間Ｓ１が図１０（ａ）に示す例よりも狭くなっている。
【００６７】
したがって、図１０（ａ）に示す例では、図１０（ｂ）に示す例よりも、貫通孔３８付近における空気の対流が促進されるため、貫通孔３８からの空気の排出をより円滑に行うことができる。このように、ソーラーパネル架台１では、背面部７とソーラーパネル２の間に形成される空間が広いため、背面部７に形成された貫通孔３８からの空気の排出が促進され、より高い放熱効果を達成することができる。
【００６８】
また、図１０（ｂ）に示すように、背面部７とソーラーパネル２の成す角度７２ｂが直角でない場合には、ソーラーパネル固定部５０の取り付けが困難になる。図１０（ａ）に示すように、背面部７とソーラーパネル２の成す角度７２ａを直角にすることによって、ソーラーパネル固定部５０の取り付けが容易になる。また、ソーラーパネル固定部５０を使用しない場合であっても、背面部７とソーラーパネル２の成す角度７２ａを直角にすることによって、ソーラーパネル２をソーラーパネル架台１に適切に取り付けることができる。
【００６９】
また、ソーラーパネル架台１では、貫通孔３８が千鳥配列されているため、背面部７の欠損断面を極力抑えて背面部７の構造強度を保つことができる。このように、ソーラーパネル架台１では、背面部７の強度を保持しながら、一定の領域に貫通孔３８の開口面積を効率良く確保することができる。
【００７０】
ソーラーパネル架台１では、貫通孔３８が角丸長方形であるため、長方形よりも角部において背面部７の欠損断面が低減し、隣り合う貫通孔３８の間において、背面部７の強度を保持することができる。また、同一の開口面積を確保する場合、開口を正方形や正円形にするよりも、縦幅よりも横幅の長い角丸長方形にした方が、開口の縦幅を短くすることができる。したがって、背面部７の高さ方向における貫通孔３８の形成領域をより狭くすることができる。よって、所望の開口面積を保持しながら、より高い位置に貫通孔３８を形成することができるため、貫通孔３８からの排気効率を高めることができる。このように、貫通孔３８を角丸長方形にすることによって、背面部７の強度を保持しながら、空気の排出をより効率的に行うことができる。また、貫通孔３８の形状が角丸長方形であることから、プレス加工によって貫通孔３８を安価に形成することができる。
【００７１】
ソーラーパネル架台１は、ソーラーパネル固定部５０を備えているため、ソーラーパネル２が吹き飛ぶリスクをより効果的に抑止することができる。
また、ソーラーパネル固定部５０は、長尺状に形成されてソーラーパネル２の前縁２ａ及び後縁２ｂに沿って配されているため、ソーラーパネル２を抑える力は、ソーラーパネル２の前縁２ａ及び後縁２ｂの全体に均一に加えられることになる。仮に、ソーラーパネル固定部５０を使用せずに、ソーラーパネル２を周壁部５にボルトやビス等の締結部材１５によって固定した場合、強風等によりソーラーパネル２を押し上げる力が加わると、その固定点が集中荷重を受けることとなり、ソーラーパネル２を破損させる危険性がある。これに対して、ソーラーパネル固定部５０を使用すると、ソーラーパネル２を押し上げる力によって受ける荷重は、等分布荷重となるため、ソーラーパネル２の破損リスクを低減することができる。
【００７２】
また、前述のように、第１の実施形態では、上面板状部５４の幅寸法Ｌ８を１４ｍｍに設定している。上面板状部５４の幅寸法Ｌ８を長くすると、ソーラーパネル２を押し上げる力が内側板状部５２の先端５２ａに加わったときに、幅寸法Ｌ８を長くした分、モーメントが増大する。すなわち、外側板状部５３の上端５３ｂを回転軸として、ソーラーパネル２を押し上げる力に上面板状部５４の幅寸法Ｌ８を掛けた値がモーメントになる。よって、上面板状部５４の幅寸法Ｌ８を長くすると、ソーラーパネル２を押し上げる力が加わった際に、ソーラーパネル固定部５０に加わるモーメントが増大して、上面板状部５４が外側に回転するように変形してしまう可能性が高くなる。
【００７３】
しかしながら、本実施形態では、上面板状部５４の幅寸法Ｌ８が１４ｍｍと狭いため、ソーラーパネル固定部５０に加わるモーメントが低減し、ソーラーパネル固定部５０の変形を防止することができる。なお、ソーラーパネル固定部５０の変形を防止するためには、上面板状部５４の幅寸法Ｌ８を１５ｍｍ以下にすることが望ましい。本実施形態では、モーメントをできるだけ低減させつつも、上面板状部５４を形成するための加工の難易度を上げないように、１４ｍｍという値を採用している。
【００７４】
ソーラーパネル固定部５０は、補強部材５６を備えている。したがって、ソーラーパネル架台１では、ソーラーパネル固定部５０の強度を高めることができる。また、補強部材５６の突出面５７ａと内側板状部５２の間に所定の空間Ｓ２が形成されている。ソーラーパネル固定部５０を設置する際に、突出面５７ａが周壁部５に接することになるため、上記所定の空間Ｓ２の幅寸法ＬＳ２を調整することによって、ソーラーパネル２に対する内側板状部５２の先端５２ａの位置を容易に調整することができる。
【００７５】
また、ソーラーパネル架台１では、架台固定部２０を備えているため、ソーラーパネル架台１の設置面３への固定が容易になる。加えて、固定部外側面３１の高さ寸法を調整することによって、間隙１２の幅を調整することできる。
【００７６】
第１の実施形態では、前述のように、間隙１２の高さ寸法ｇを５ｍｍ〜７ｍｍに設定している。これにより、間隙１２の高さ寸法ｇを７ｍｍよりも大きくした場合と比較して、間隙１２から流入する空気の流速を増大させることができる。したがって、放熱のための外気取り入れの効率を高めることができる。なお、間隙１２の高さ寸法ｇを５ｍｍよりも狭くすると、空気流量が減少し、逆流が発生しやすくなる可能性が考えられる。したがって、間隙１２の高さ寸法ｇを５ｍｍ以上とすることが望ましい。
【００７７】
また、ソーラーパネル架台１では、架台固定部２０を板状部材で形成することができるため、架台固定部２０の製造が容易になると共に、ソーラーパネル架台１を設置場所において組み付ける際に、組み付け作業を簡易に行うことができる。
【００７８】
さらに、ソーラーパネル架台１では、正面部６と、背面部７と、第１の側面部８と、第２の側面部９がすべて板状部材によって形成されているため、周壁部５を軽量且つ簡易に形成することができる。したがって、ソーラーパネル架台１を設置場所において組み付ける際に、組み付け作業を容易に行うことができる。
【００７９】
［第２の実施形態］
次に、本発明の第２の実施形態について説明する。図１１に、第２の実施形態に係るソーラーパネル架台１００にソーラーパネル２を取り付けた状態を示す。第１の実施形態に係るソーラーパネル架台１と第２の実施形態に係るソーラーパネル架台１００の基本的構成は同じであり、ここでは主として異なる点について説明する。また、第１の実施形態と同様の構成要素には、同じ符号を付している。
【００８０】
第１の実施形態に係るソーラーパネル架台１００は、ソーラーパネル２の前縁２ａ及び後縁２ｂに配するソーラーパネル固定部５０ａ，５０ｂに加えて、ソーラーパネル２の左右の側縁（第１の側縁２ｃ及び第２の側縁２ｄ）に配するソーラーパネル固定部５０ｃ，５０ｄを備えている。ソーラーパネル固定部５０ｃ，５０ｄの構成は、前述したソーラーパネル固定部５０ａ，５０ｂの構成と同様である。
【００８１】
ソーラーパネル２は、第１の実施形態において説明したように、前方パネル載置部４３と後方パネル載置部４４に載置されている。図１２に示すように、第２の側面部１０９はソーラーパネル２の枠体部６５の側面に沿って、枠体部６５の上端６５ｂまで延びている。ソーラーパネル固定部５０ｄの取り付け方法は、前述したソーラーパネル固定部５０ａ，５０ｂの取り付け方法と異なる。図１２に示す例では、枠体部６５の上端６５ｂにおいて、枠体部６５の上面８１に内側板状部５２の先端５２ａが接するように、ソーラーパネル固定部５０ｄが取り付けられている。補強部材５６の突出面５７ａは、第２の側面部１０９に接し、孔５８ａ，５８ｂ及び第２の側面部１０９の孔１４１に挿入されたボルト等の締結部材を介して、外側板状部５３が第２の側面部１０９に取り付けられている。また、同様の方法で、ソーラーパネル固定部５０ｃが第１の側面部１０８に取り付けられている。
【００８２】
このように、第２の実施形態に係るソーラーパネル架台１００では、ソーラーパネル２の前縁２ａ及び後縁２ｂに加えて、ソーラーパネル２の左右の側縁２ｃ，２ｄについてもソーラーパネル固定部５０によって固定することができる。したがって、ソーラーパネル２の固定力をより高めることができる。
【００８３】
なお、第２の実施形態では、ソーラーパネル２の左右の側縁２ｃ，２ｄについてのみ、図１２の例のように、内側板状部５２の先端５２ａをソーラーパネル２の枠体部６５の上面８１に配するように取り付けているが、ソーラーパネル２の前縁２ａ及び後縁２ｂにおいても、内側板状部５２の先端５２ａをソーラーパネル２の枠体部６５の上面８１に配するように取り付けてもよい。例えば、ソーラーパネル２の前縁２ａ及び後縁２ｂに係合部６６が形成されていないソーラーパネル２を設置する際に、ソーラーパネル２の前縁２ａ及び後縁２ｂにおいて、内側板状部５２の先端５２ａをソーラーパネル２の枠体部６５の上面８１に配するように取り付けてもよい。
【００８４】
［他の実施形態］
以上、本発明の実施形態について述べたが、本発明は既述の実施形態に限定されるものではなく、本発明の技術的思想に基づいて各種の変形及び変更が可能である。例えば、前述の実施形態では、背面部７に貫通孔３８を形成しているがこれに限定されない。  例えば、周壁部５を構成する他の部分に貫通孔３８形成してもよい。
前述のソーラーパネル２は矩形状に形成されているが、他の様々な形状のソーラーパネル２にも、本発明に係るソーラーパネル架台を適用することができる。周壁部５は、正面部６と、背面部７と、第１の側面部８と、第２の側面部９を備えているが、これに限定されない。
また、ソーラーパネル架台１，１００が下端内側突出部２２を備えているが、これに限定されず、下端内側突出部２２を備えていなくてもよい。また、下端内側突出部２２が周壁部５との間に成す角度２４は鋭角に限定されず、直角又は鈍角であってもよい。
【００８５】
各部の寸法及び角度の数値並びに式中の数値は、すべて例示であり、既述した数値に限定されない。既述の実施形態では、背面部７が、ソーラーパネル２を取り付けた際に、背面部７とソーラーパネル２の成す角度７２が直角となるように構成されているが、これに限定されない。例えば、背面部７とソーラーパネル２の成す角度７２が鋭角又は鈍角であってもよい。また、既述の実施形態では、背面部７とソーラーパネル２の成す角度７２を直角とするために、ソーラーパネル２の傾斜に応じて背面部７を設置面３に対して傾斜させて設置しているがこれに限定されない。例えば、背面部７の幅方向Ｗに沿って延びる回転軸線に沿って、背面部７をソーラーパネル２の傾斜に応じた角度に折り曲げることによって、背面部７の上方における上記角度７２を直角に保持すると共に、背面部７の下方を設置面３に対して垂直に設置するように構成してもよい。
【００８６】
複数の貫通孔３８は、千鳥配列以外の配列で形成してもよいし、不規則に分散させて配置してもよい。また、貫通孔３８の形状としてどのような形状を採用してもよい。
記述の実施形態では、ソーラーパネル架台１，１００は、ソーラーパネル固定部５０を備えているが、これに限定されず、ソーラーパネル固定部５０を用いなくてもよい。また、補強部材５６を取り付けていないソーラーパネル固定部５０を用いてもよいし、ソーラーパネル固定部５０を既述の形状以外の形状に形成してもよい。
【００８７】
記述の実施形態では、ソーラーパネル架台１，１００は、架台固定部２０を備えているが、これに限定されず、架台固定部２０を用いなくてもよい。また、架台固定部２０を既述の形状以外の形状に形成してもよい。既述の実施形態では、正面部６と、背面部７と、第１の側面部８と、第２の側面部９は、それぞれ、板状に形成されているが、これに限定されない。
【００８８】
前述の実施形態では、正面部６の一端部６ａと背面部の一端部７ａを第１の側面部８に連結し、正面部６の他端部６ｂと背面部７の他端部７ｂを第２の側面部９に連結することによって、周壁部５を形成しているが、これに限定されない。例えば、ソーラーパネル架台１，１００の四隅に支柱を設け、この支柱に、正面部６と、背面部７と、第１の側面部８と、第２の側面部９を取り付けることによって内部空間Ｓ１を画定する周壁部５を構成してもよい。
【符号の説明】
【００８９】
１，１００  ソーラーパネル架台
２  ソーラーパネル
３  設置面
５  周壁部
６  正面部
７  背面部
８  第１の側面部
９  第２の側面部
１１  周壁部の下端
１２  間隙
２０  架台固定部
２２  下端内側突出部
２７  周壁部取り付け部
２８  設置面取り付け部
３１  固定部外側面
３８  貫通孔
５０  ソーラーパネル固定部
５２  内側板状部
５３  外側板状部
５４  上面板状部
５６  補強部材
５７  突出部
【要約】
【課題】強風等によってソーラーパネルが吹き飛ぶことを抑止すると共に、放熱効果を向上させることを目的とする。
【解決手段】上記目的を達成するために、本発明に係るソーラーパネル架台は、ソーラーパネルを支持して該ソーラーパネルを設置面に固定するソーラーパネル架台であって、前記ソーラーパネルの周縁と設置面との間に配される周壁部を備え、前記周壁部の下端と前記設置面の間には、全周にわたって間隙が形成されていて、前記周壁部の上端から下端までの長さ寸法の半分よりも上方に、複数の貫通孔が形成されている。
【選択図】図１【図１】
0005986263.tif 000002
【図２】
0005986263.tif 000003
【図３】
0005986263.tif 000004
【図４】
0005986263.tif 000005
【図５】
0005986263.tif 000006
【図６】
0005986263.tif 000007
【図７】
0005986263.tif 000008
【図８】
0005986263.tif 000009
【図９】
0005986263.tif 000010
【図１０】
0005986263.tif 000011
【図１１】
0005986263.tif 000012
【図１２】
0005986263.tif 000013